(57)【要約】【課題】  少ない画素数で高品質な画像表示を行うのに適した画素配列構造を提供すること。【解決手段】  画素配列１０は、複数の画素１２Ｒ，１２Ｇ，１２Ｂからなる擬似的に六角形ｈで区画される画素群１１を備えていて、この画素群１１は、六角形ｈについてハニカム構造をなすように充填配列されている。画素１２Ｂは画素群１１の中央に配されており、画素１２Ｒ，１２Ｇは、画素１２Ｂの周囲において六角形ｈの各辺に臨んで交互に配されている。かくして、画素１２Ｒ，１２Ｇ，１２Ｂのサブグループがそれぞれ（擬似的に）デルタ配列をなし、また、画素１２Ｒ，１２Ｇの構成比率が相対的に高められている。【選択図】      図１
2007017477.tif 000002
【特許請求の範囲】
【請求項１】
擬似的に六角形で区画される画素群が、当該擬似的な六角形についてハニカム構造をなすように配列されている画素配列構造であって、
前記画素群は、中央に配される青（Ｂ）の画素と、前記Ｂの画素の周囲において前記擬似的な六角形の各辺に臨んで交互に配される赤（Ｒ）および緑（Ｇ）の画素と、からなることを特徴とする画素配列構造。
【請求項２】
前記Ｂの画素は略六角形形状であり、前記Ｒ，Ｇの画素は、それぞれ、前記Ｂの画素の側辺と対向する辺を略平行な対辺の一辺とする略台形形状であることを特徴とする請求項１に記載の画素配列構造。
【請求項３】
前記Ｒ，Ｇの画素に対する前記Ｂの画素の面積比は、１ないし２であることを特徴とする請求項１または２に記載の画素配列構造。
【発明の詳細な説明】
【技術分野】
【０００１】
本発明は、液晶表示装置、有機エレクトロルミネッセンス表示装置、プラズマ型表示装置、電界放出型表示装置などの電気光学装置に好適な画素配列構造に関する。
【背景技術】
【０００２】
液晶表示装置などに代表される電気光学装置は、規則的に配列された画素の駆動によって画像を形成するものであり、近年、画素の高密度化による高精細化が進んできている。また、画素配列構造の工夫によって高精細化を図る技術についても研究が盛んである。
【０００３】
高精細化を狙った画素配列構造の一つに、特許文献１に掲げるものがある。この画素配列１は、図４（ａ）に示すように、赤（Ｒ）および緑（Ｇ）に対応するそれぞれ２つの画素２Ｒ，２Ｇと、青（Ｂ）に対応する１つの画素２Ｂとから構成される画素群３が、正方配列された構造となっている。これは、青色波長域に対する視覚分解能が赤ないし緑の波長域に対するそれと比べて低いという人間の視覚特性に鑑みて、Ｒ，Ｇの画素を相対的に多く配することで、画素配列の効率化を図ったものである。
【０００４】
【特許文献１】国際公開第２００２／１１１１２号パンフレット
【発明の開示】
【発明が解決しようとする課題】
【０００５】
図４（ｂ）は、画素配列１におけるナイキスト周波数（ナイキスト限界）の理論値を示したものであり、横軸および縦軸は、画素配列１の行方向および列方向に対応する空間周波数である。この図によれば、空間周波数平面におけるナイキスト周波数の広がりは正方形形状となっており、これは、その対角方向と対辺方向に対する表示分解能が著しく異なるという特徴を表すものである。このため、自然画等の表示を高品質に行うことが困難であった。
【０００６】
本発明は、上述の課題を解決するためになされたもので、少ない画素数で高品質な画像表示を行うのに適した画素配列構造を提供することを目的としている。
【課題を解決するための手段】
【０００７】
本発明は、擬似的に六角形で区画される画素群が、当該擬似的な六角形についてハニカム構造をなすように配列されている画素配列構造であって、前記画素群は、中央に配される青（Ｂ）の画素と、前記Ｂの画素の周囲において前記擬似的な六角形の各辺に臨んで交互に配される赤（Ｒ）および緑（Ｇ）の画素と、からなることを特徴とする。
【０００８】
この発明の画素配列構造によれば、Ｒ，Ｇ，Ｂの各画素グループが、それぞれ（擬似的な）デルタ配列をなすので、等方的な分解能で画像を表示することができる。また、Ｒ，Ｇ，Ｂの画素の構成比率が３：３：１となるため、赤（Ｒ），緑（Ｇ）の波長域についての表示分解能が相対的に高くなっている。かくして、少ない画素数で高品質な画像表示を行うことが可能である。
【０００９】
また好ましくは、前記画素配列構造において、前記Ｂの画素は略六角形形状であり、前記Ｒ，Ｇの画素は、それぞれ、前記Ｂの画素の側辺と対向する辺を略平行な対辺の一辺とする略台形形状であることを特徴とする。
この発明の画素配列構造によれば、擬似的に六角形で区画される画素群内に画素が充填配列されるので、画素面積、すなわち画素の輝度を効果的に高めることができる。
【００１０】
また好ましくは、前記画素配列構造において、前記Ｒ，Ｇの画素に対する前記Ｂの画素の面積比は、１ないし２であることを特徴とする。
この発明の画素配列構造によれば、Ｒ，Ｇ，Ｂの各画素における画素面積と配列の対称性とのバランスを好適な状態とすることができる。
【発明を実施するための最良の形態】
【００１１】
以下、本発明の好適な実施の形態を添付図面に基づいて詳細に説明する。
なお、以下に述べる実施の形態は、本発明の好適な具体例であるから、技術的に好ましい種々の限定が付されているが、本発明の範囲は、以下の説明において特に本発明を限定する旨の記載がない限り、これらの形態に限られるものではない。
【００１２】
図１は、本発明に係る画素配列の一部を示す図である。図２は、本発明に係る画素配列におけるナイキスト周波数の理論値を示す図であり、図中の横軸、縦軸はそれぞれ、図１のＸ軸方向、Ｙ軸方向に対する空間周波数を示している。
【００１３】
図１において、画素配列１０は、複数の画素１２Ｒ，１２Ｇ，１２Ｂからなる擬似的に六角形ｈで区画される画素群１１を備えていて、この画素群１１は、六角形ｈについてハニカム構造をなすように配列されている。ここで、画素１２Ｒ，１２Ｇ，１２Ｂは、画像の形成において独立した階調表示が可能な最小単位領域であって、それぞれ赤（Ｒ）、緑（Ｇ）、青（Ｂ）に対応する波長域の光を出射するようになっている。
【００１４】
画素１２Ｂは画素群１１の中央に配されており、画素１２Ｒ，１２Ｇは、画素１２Ｂの周囲において六角形ｈの各辺に臨んで交互に配されている。かくして、画素１２Ｒ…，１２Ｇ…でそれぞれ構成されるサブグループは擬似的に、画素１２Ｂ…で構成されるサブグループは正規に、デルタ配列をなすことになる。
【００１５】
この画素配列１０における空間周波数平面上のナイキスト周波数の広がりは、図２に示すように、六角形形状となっている。これは、画素１２Ｒ，１２Ｇ，１２Ｂがそれぞれ、デルタ配列をなすことによる効果であり、かくして、等方的な分解能で画像を表示することができる。また、この画素配列１０における画素１２Ｒ，１２Ｇ，１２Ｂの構成比率は、３：３：１となっており、これにより、赤（Ｒ）および緑（Ｇ）の波長域についての表示分解能が相対的に高められている。このため、人間が知覚し得る画像として実質的に高品質なものを表示することができる。
【００１６】
本実施形態においては、画素１２Ｂは六角形形状であり、画素１２Ｒ，１２Ｇは、画素１２Ｂの側辺１３と対向する辺１４を平行な対辺の一辺とする台形形状である。これにより、各画素１２Ｒ，１２Ｇ，１２Ｂが、六角形ｈで区画される画素群１１内に充填配列され、画素面積、すなわち画素の輝度が効果的に高められている。
【００１７】
また、画素１２Ｒ，１２Ｇに対する画素１２Ｂの画素の面積比は、１ないし２となっていることが好ましい。画素１２Ｂの画素面積が画素群１１内において小さすぎる場合には青（Ｂ）の輝度が不足し、画素１２Ｂの画素面積が画素群１１内において大きすぎる場合には、画素１２Ｒ，１２Ｇの配列（デルタ配列）の対称性が悪くなるためである。
【００１８】
尚、上述した画素群１１の選択は、画素１２Ｒ，１２Ｇ，１２Ｂの配列を規定するための便宜的なものである。従って、画素１２Ｒ，１２Ｇ，１２Ｂ間において、必ずしも画素群１１の単位で群としての特別な機能が要請されるものではない。
【００１９】
次に、本発明に係る画素配列が適用される電気光学装置の具体例について、図３を参照して説明する。図３は、本発明に係る画素配列を電気光学装置に適用する場合における駆動回路配線の一例を示す図である。
【００２０】
本発明に係る画素配列が適用される電気光学装置の具体例としては、例えば、液晶表示装置（ＬＣＤ）、有機エレクトロルミネッセンス（有機ＥＬ）表示装置（ＯＬＥＤ）、プラズマ表示装置（ＰＤＰ）、電界放出表示装置（ＦＥＤ）などが挙げられる。
【００２１】
図３に示すアクティブマトリクス方式による駆動回路２０は、Ｙ軸方向にそれぞれ伸長するソース配線Ｓ１〜Ｓ６…と、Ｘ軸方向にそれぞれ伸長するゲート配線Ｇ１〜Ｇ４…と、Ｙ軸方向にそれぞれ伸長するゲート配線ＧＢ１，ＧＢ２…と、を備えている。そして、ソース配線Ｓ１〜Ｓ６…とゲート配線Ｇ１〜Ｇ４…との交差領域、および、ソース配線Ｓ２，Ｓ５…とゲート配線ＧＢ１，ＧＢ２…との交差領域には、矢印で模式化して示すＴＦＴ（Thin Film Transistor）等のスイッチ素子２１が形成されている。
【００２２】
かくして、ソース配線Ｓ１〜Ｓ６…およびゲート配線Ｇ１〜Ｇ４…を通じた制御信号により画素１２Ｒ，１２Ｇが駆動され、ソース配線Ｓ２，Ｓ５…およびゲート配線ＧＢ１，ＧＢ２…を通じた制御信号により画素１２Ｂが駆動される。
【００２３】
より具体的な駆動制御の方法としては、電気光学装置における既知の画素駆動制御技術と同じ方法を採用することができる。また、上述のようなアクティブマトリクス方式に代えて、単純マトリクス方式を採用することもできる。
【００２４】
液晶表示装置の場合、図３に示す駆動回路２０および仮想線で示す画素１２Ｒ，１２Ｇ，１２Ｂに合わせて、画素電極およびカラーフィルタの着色パターンを形成することで、図１に示す画素配列１０が適用される。
【００２５】
有機ＥＬ表示装置の場合、図３に示す駆動回路２０および仮想線で示す画素１２Ｒ，１２Ｇ，１２Ｂに合わせて、Ｒ，Ｇ，Ｂの各色に対応する発光素子をパターン形成することで、図１に示す画素配列１０が適用される。
【００２６】
プラズマ表示装置の場合、図３に示す駆動回路２０および仮想線で示す画素１２Ｒ，１２Ｇ，１２Ｂに合わせて、Ｒ，Ｇ，Ｂの各色に対応する蛍光材料が塗布された発光セルをパターン形成することで、図１に示す画素配列１０が適用される。
【００２７】
電界放出表示装置の場合、図３に示す駆動回路２０および仮想線で示す画素１２Ｒ，１２Ｇ，１２Ｂに合わせて、電子源およびＲ，Ｇ，Ｂの各色に対応する蛍光膜パターンを形成することで、図１に示す画素配列１０が適用される。
【図面の簡単な説明】
【００２８】
【図１】本発明に係る画素配列の一部を示す図。
【図２】本発明に係る画素配列におけるナイキスト周波数の理論値を示す図。
【図３】本発明に係る画素配列を電気光学装置に適用する場合における駆動回路配線の一例を示す図。
【図４】（ａ）は、画素配列の従来例を示す図。（ｂ）は、（ａ）の画素配列におけるナイキスト周波数の理論値を示す図。
【符号の説明】
【００２９】
１０…画素配列、１１…画素群、１２Ｒ…赤（Ｒ）の画素、１２Ｇ…緑（Ｇ）の画素、１２Ｂ…青（Ｂ）の画素、１３…青の画素の側辺、１４…青の画素の側辺に対向する辺、２０…駆動回路、２１…スイッチ素子、ｈ…画素群を区画する擬似的な六角形。
【図１】
2007017477.tif 000003
【図２】
2007017477.tif 000004
【図３】
2007017477.tif 000005
【図４】
2007017477.tif 000006